(57)【要約】【課題】本発明は音響機器に使用されるスピーカ、スピーカモジュールおよび電子機器に関するものであり、空気漏れによる特性の悪化が課題であった。【解決手段】第１の振動板２７と第２の振動板３０とを密閉空間を構成することで音響結合して構成し、この第２の振動板３０を支持するパネル２９にフレーム２６との嵌合リブを形成することにより、密閉空間の気密性を向上させ特性の良好な音響結合タイプのスピーカを実現したものである。【選択図】図１
2005129992.tif 000002
【特許請求の範囲】
【請求項１】
磁気回路に結合されたフレームと、このフレームの外周部に結合された第１の振動板と、この第１の振動板に結合されるとともに、その一部が前記磁気回路の磁気ギャップに嵌め込まれるボイスコイルと、前記フレームに結合されたパネルと、前記第１の振動板を結合し、少なくともその一部を前記パネルで囲まれた密閉空間と、このパネルで囲まれた密閉空間に結合した第２の振動板とで構成されるスピーカであって、前記フレームと前記パネルとの結合は、前記パネルに前記フレームの縁立て部内径より小さく、かつ前記第１の振動板のエッジ部外径より大きい嵌合リブを形成して、前記嵌合リブを前記フレーム内に嵌合させて結合したスピーカ。
【請求項２】
パネルの嵌合リブのフレームとの結合面に粘着剤を付着、もしくは接着剤を塗布させた請求項１記載のスピーカ。
【請求項３】
フレームのパネルとの結合面に粘着剤を付着、もしくは接着剤を塗布させた請求項１または請求項２記載のスピーカ。
【請求項４】
フレームとパネルとの結合面の隙間に接着剤を塗布した請求項１から請求項３のいずれか一つに記載のスピーカ。
【請求項５】
フレームとパネルとの結合面の隙間にシーリング剤を塗布した請求項１から請求項３のいずれか一つに記載のスピーカ。
【請求項６】
第１の振動板は第２の振動板より小さくした請求項１から請求項５のいずれか一つに記載のスピーカ。
【請求項７】
第２の振動板をシート状の透明なフィルムにより構成した請求項１から請求項６のいずれか一つに記載のスピーカ。
【請求項８】
パネルを透明な材料により構成した請求項１から請求項７のいずれか一つに記載のスピーカ。
【請求項９】
請求項１〜請求項８のいずれか一つに記載のスピーカの第２の振動板で表示部の前面を覆ったスピーカモジュール。
【請求項１０】
請求項９に記載のスピーカモジュールと操作部とを備えた電子機器。
【発明の詳細な説明】
【技術分野】
【０００１】
本発明は各種音響機器や情報通信機器に使用されるスピーカ、スピーカモジュールおよびこのスピーカモジュールを用いた携帯電話やゲーム機器等の電子機器に関するものである。
【背景技術】
【０００２】
従来の技術を図７により説明する。
【０００３】
図７は従来のスピーカの断面図である。図７に示すように、着磁されたマグネット１を上部プレート２およびヨーク３により挟み込んで内磁型の磁気回路４を構成し、この磁気回路４のヨーク３にフレーム６を結合している。このフレーム６の周縁部には第１の振動板７を装着し、この第１の振動板７にボイスコイル８を結合するとともに、上記磁気回路４の磁気ギャップ５に嵌まり込むように結合している。
【０００４】
さらに、前記フレーム６の周縁部にパネル９を結合し、このパネル９に略平面状の第２の振動板１０を装着し、第１の振動板７と第２の振動板１０の間を密閉空間１１により音響結合してスピーカ１３を構成している。
【０００５】
尚、この出願の発明に関する先行技術文献情報としては、例えば、特許文献１が知られている。
【特許文献１】特開２００３−１７９９８８号公報
【発明の開示】
【発明が解決しようとする課題】
【０００６】
上述のスピーカは、振動板を２つ有し、その間を密閉空間で結合して構成された音響結合タイプのスピーカである。従って、この音響結合タイプのスピーカの音響特性を確保するためには、２つの振動板の間の密閉空間の気密性を確保することにより実現することができる。
【０００７】
ところが、部品精度のばらつきや生産上のばらつき等の原因により、密閉空間の気密性の確保が完全に実施できず、空気漏れを発生することがある。この場合、空気漏れにより密閉空間の気密性が確保できず、２つの振動板の音響結合状態が低下して音響特性を悪化させるという課題を有するものであった。
【０００８】
本発明は前記した課題を解決し、密閉空間の気密性を確保することで、良好な音響特性を実現できる優れたスピーカを提供することを目的とするものである。
【課題を解決するための手段】
【０００９】
上記目的を達成するために、本発明は以下の構成を有する。
【００１０】
本発明の請求項１に記載の発明は、磁気回路に結合されたフレームと、このフレームの外周部に結合された第１の振動板と、この第１の振動板に結合されるとともに、その一部が磁気回路の磁気ギャップに嵌め込まれるボイスコイルとにより音響結合タイプのスピーカの一部を構成し、前記フレームにパネルを結合し、密閉空間を設けてパネルに第２の振動板を結合することで、第１の振動板と第２の振動板とを音響結合したスピーカを構成している。ここで、フレームとパネルとの結合は、パネルにフレームの縁立て部内径より小さく、かつ第１の振動板のエッジ部外径より大きい嵌合リブを形成して、この嵌合リブをフレーム内に嵌合させて結合したものである。
【００１１】
この構成により、複雑な形状の嵌合リブの効果により、空気漏れを防止して気密性を向上させ、２つの振動板を有する密閉空間の気密性を確保することで、音響特性の良好なスピーカを実現することができる。
【００１２】
本発明の請求項２に記載の発明は、パネルの嵌合リブのフレームとの結合面に粘着剤を付着、もしくは接着剤を塗布させて構成したものである。この構成により、粘着剤もしくは接着剤の効果で、パネルとフレームとの隙間を塞ぎ、さらに気密性を向上させることができる。
【００１３】
本発明の請求項３に記載の発明は、フレームのパネルとの結合面に粘着剤を付着、もしくは接着剤を塗布させて構成したものである。この構成により、粘着剤もしくは接着剤の効果で、パネルとフレームとの隙間を塞ぎ、さらに気密性を向上させることができる。
【００１４】
本発明の請求項４に記載の発明は、フレームとパネルとの結合面の隙間に接着剤を塗布して構成したものである。この構成により、フレームとパネルとの結合面の隙間を接着剤により完全に塞いでしまうことで、空気漏れをなくしビリツキ音の防止を図ることができる。
【００１５】
本発明の請求項５に記載の発明は、フレームとパネルとの結合面の隙間にシーリング剤を塗布して構成したものである。この構成により、フレームとパネルとの結合面の隙間をシーリング剤により完全に塞いでしまうことで、空気漏れをなくしビリツキ音の防止を図ることができる。
【００１６】
本発明の請求項６に記載の発明は、第１の振動板は第２の振動板より小さくして構成したものである。この構成により、スピーカおよびこれを用いたモジュールや電子機器のさらなる小型化、デザイン自由度の向上を実現することができる。
【００１７】
本発明の請求項７に記載の発明は、第２の振動板をシート状の透明なフィルムにより構成したものである。この構成により、第２の振動板の下に表示物を配置しても透明なフィルムを通して視認することができ、このスピーカを用いたモジュールや電子機器のさらなる薄型化、小型化、デザイン自由度の向上を実現することができる。
【００１８】
本発明の請求項８に記載の発明は、パネルを透明な材料により構成したものである。この構成により、パネルの下に表示物を配置しても、透明なフィルムから構成された第２の振動板と透明なパネルとを通して視認することができ、このスピーカを用いたモジュールや電子機器のさらなる薄型化、小型化、デザイン自由度の向上を実現することができる。
【００１９】
本発明の請求項９に記載の発明は、請求項１から請求項８のいずれか一つに記載のスピーカの第２の振動板で表示部の前面を覆ってスピーカモジュールを構成したものである。この構成により、表示部とスピーカを薄型化、小型化して一体モジュールを構成することができる。
【００２０】
本発明の請求項１０に記載の発明は、請求項９に記載のスピーカモジュールと操作部とを備えて電子機器を構成したものである。この構成により、電子機器の薄型化、小型化を図ることができる。
【発明の効果】
【００２１】
以上のように本発明は、パネルにフレームとの嵌合リブを形成して、音響結合タイプのスピーカを構成したものである。この構成により、パネルとフレームとの隙間からの空気漏れを防止し、密閉空間の気密性を向上させることで特性の良好な音響結合タイプのスピーカを実現することができる。
【発明を実施するための最良の形態】
【００２２】
以下、本発明の実施の形態について図面を用いて説明する。
【００２３】
（実施の形態１）
以下、実施の形態１を用いて、本発明の特に請求項１および請求項６から請求項８に記載の発明について説明する。
【００２４】
図１は、本発明の一実施の形態のスピーカの断面図を示したものである。
【００２５】
図１に示すように、着磁されたマグネット２１を上部プレート２２およびヨーク２３により挟み込んで内磁型の磁気回路２４を構成し、この磁気回路２４のヨーク２３にフレーム２６を結合している。このフレーム２６の周縁部には第１の振動板２７の外周を接着し、この第１の振動板２７にボイスコイル２８の一端を結合するとともに、反対の一端を上記磁気回路２４の磁気ギャップ２５に嵌まり込むように結合して構成している。
【００２６】
さらに、パネル２９にフレーム２６のリング状の縁立て部２６Ａの内径より小さく、かつ第１の振動板２７のエッジ部２７Ａの外径より大きいリング状の嵌合リブ２９Ａを形成して、この嵌合リブ２９Ａをフレーム２６内で嵌合させて結合している。そして、このパネル２９に密閉空間３１を介して略平面状の第２の振動板３０を結合することにより、第１の振動板２７と第２の振動板３０とを音響結合してスピーカ４０を構成している。
【００２７】
この構成とすることにより、複雑な形状の嵌合リブ２９Ａの効果により、空気漏れを防止して気密性を向上させ、２つの振動板を有する密閉空間３１の気密性を確保することで、音響特性の良好なスピーカを実現することができる。
【００２８】
さらに、当実施の形態の場合は、従来例と比較してパネル２９にリング状の窪みを設けて構成しているため、この窪みにより形成されたパネル２９の壁面部についても、フレーム２６の縁立て部２６Ａとの嵌合により強化させることができるため、より一層複雑な形状の嵌合を形成することができる。よって、このパネル２９の窪みについても、空気漏れを防止して気密性を一層向上させることができ、スピーカの音響特性の向上に役立たせることができる。
【００２９】
また、請求項６に記載の発明は、第１の振動板２７を第２の振動板３０よりも小さくして構成し、さらに当実施の形態の場合は、第１の振動板２７を平面的に見て第２の振動板３０の範囲内に設けて構成したものである。この構成により、大きな第２の振動板３０を使用してもスピーカの更なる小型化、薄型化、デザイン自由度の向上を実現することができる。
【００３０】
また、請求項７に記載の発明は、第２の振動板３０をシート状の透明なフィルムにより構成していることである。この構成により、このシート状の透明なフィルムの下空間を利用してデザインすることで、透明なフィルムの下のものが透視可能となる。このため部品の配列が横方向のみならず、高さ方向も有効に利用しながら配列することができる。よって、大きな第２の振動板３０を使用してもスピーカのさらなる小型化、薄型化、デザイン自由度の向上を実現させることができる。
【００３１】
また、請求項８に記載の発明は、パネル２９を透明な材料により構成していることである。この構成により、前述したシート状の透明なフィルムから構成された第２の振動板３０を用い、さらにこの透明なパネル２９の下空間を利用してデザインすることで、透明なパネル２９の下のものが透視可能となる。このため部品の配列が横方向のみならず、高さ方向も有効に利用しながら配列することができる。よって、大きな第２の振動板３０とパネル２９とを使用しても、スピーカのさらなる小型化、薄型化、デザイン自由度の向上を実現させることができる。
【００３２】
（実施の形態２）
以下、実施の形態２を用いて、本発明の特に請求項２に記載の発明について説明する。
【００３３】
図２は、本発明の一実施の形態のスピーカの断面図を示したものである。図２に示す内容について、実施の形態１と異なる部分についてのみ説明すると、パネル２９の嵌合リブ２９Ａのフレーム２６との結合面に粘着剤３２を付着、もしくは接着剤を塗布させて構成したものである。この構成により、粘着剤３２もしくは接着剤の効果で、パネル２９とフレーム２６との隙間を塞ぎ、さらに気密性を向上させることができる。
【００３４】
（実施の形態３）
以下、実施の形態３を用いて、本発明の特に請求項３に記載の発明について説明する。
【００３５】
図３は、本発明の一実施の形態のスピーカの断面図を示したものである。図３に示す内容について、実施の形態１と異なる部分についてのみ説明すると、フレーム２６のパネル２９との結合面に粘着剤３４を付着、もしくは接着剤を塗布させて構成したものである。この構成により、粘着剤３４もしくは接着剤の効果で、パネル２９とフレーム２６との隙間を塞ぎ、さらに気密性を向上させることができる。
【００３６】
（実施の形態４）
以下、実施の形態４を用いて、本発明の特に請求項４および請求項５に記載の発明について説明する。
【００３７】
図４は、本発明の一実施の形態のスピーカの断面図を示したものである。図４に示す内容について、実施の形態１と異なる部分についてのみ説明すると、フレーム２６とパネル２９との結合面の隙間に接着剤もしくはシーリング剤３３を塗布して構成したものである。この構成により、フレーム２６とパネル２９との結合面の隙間を接着剤もしくはシーリング剤３３により完全に塞いでしまうことで、空気漏れをなくしビリツキ音の防止を図ることができる。
【００３８】
ここで、使用される接着剤もしくはシーリング剤３３については、接着剤の場合はゴム系やアクリル系、ポリウレタン系の接着剤で、接着剤の乾燥、硬化後も固形分が多く残るタイプ、すなわち希釈溶剤の配合率の少ないタイプのものが一般的に適しており、その効果が大きい。
【００３９】
また、シーリング剤については、ブチルゴム系のものやホットメルトタイプのシーリング剤が一般的に適している。
【００４０】
（実施の形態５）
以下、実施の形態５を用いて、本発明の特に請求項９に記載の発明について説明する。
【００４１】
図５は、本発明の一実施の形態のスピーカモジュールの要部断面図である。
【００４２】
図５は、少なくとも表示部４１とスピーカ４０から構成されたスピーカモジュールであって、請求項１から請求項８に記載のスピーカの第２の振動板３０を表示部４１の前面に、この表示部４１を覆う形状で配置して装着したスピーカモジュール５０である。
【００４３】
この時、第２の振動板３０は透明なフィルムシートにより構成されている。そして、パネル２９についても透明な材料により構成されている。これにより透明なフィルムシートの下空間に表示部４１を設定してモジュール化することで、透明なフィルムの下のものが透視可能となる。この構成により、音響結合タイプのスピーカモジュールの小型化、薄型化、デザインの自由度の向上を実現させることができる。さらに、このようにモジュール化することで、セット生産時の工程削減や、部品流通段階での合理化を図ることが可能となり、コスト低減を実現させることもできる。
【００４４】
ここで、このモジュール５０の表示部４１の配置場所に関しては、第２の振動板３０である透明なフィルムシートの直下でも良く、また当例のように透明なパネル２９の下に配置しても良い。
【００４５】
（実施の形態６）
以下、実施の形態６を用いて、本発明の特に請求項１０に記載の発明について説明する。
【００４６】
図６は、本発明の一実施の形態のスピーカモジュールを搭載した携帯電話装置の要部断面図である。図６は、少なくとも表示部４１とスピーカ４０とからなるスピーカモジュール５０と操作部４２とにより構成された携帯電話装置５１である。
【００４７】
実施の形態５にて説明したスピーカモジュール５０を使用して携帯電話装置５１を構成したものであり、外装ケース５２にスピーカモジュール５０を結合し、その横に操作部４２を結合してその要部が構成されている。この構成により、このシート状の透明なフィルムである第２の振動板３０と透明パネルの下空間に表示部４１が設定され、さらにその横に操作部４２を設定することで、携帯電話装置５１の小型化、薄型化、デザインの自由度の向上を実現させることができる。
【００４８】
また、当実施の形態は、携帯電話装置への応用について説明したが、当実施の形態に限定されることなく、携帯用の音響機器や映像機器、さらにはこれらの機器の充電装置等の電子機器への応用についても広範囲に展開することができる。
【産業上の利用可能性】
【００４９】
本発明にかかるスピーカおよびスピーカモジュールは、音を出す機能以外に、透明フィルム、透明パネルを使用することで、小型化を可能として表示機能を設けることができ、表示部から放音が可能となり、映像音響機器や情報通信機器、ゲーム機器等に適用できる。
【図面の簡単な説明】
【００５０】
【図１】本発明の一実施の形態におけるスピーカの断面図
【図２】本発明の一実施の形態におけるスピーカの断面図
【図３】本発明の一実施の形態におけるスピーカの断面図
【図４】本発明の一実施の形態におけるスピーカの断面図
【図５】本発明の一実施の形態におけるスピーカモジュールの断面図
【図６】本発明の一実施の形態における電子機器の要部断面図
【図７】従来の音響結合タイプのスピーカの断面図
【符号の説明】
【００５１】
２１  マグネット
２２  上部プレート
２３  ヨーク
２４  磁気回路
２５  磁気ギャップ
２６  フレーム
２６Ａ  縁立て部
２７  第１の振動板
２７Ａ  第１の振動板のエッジ部
２８  ボイスコイル
２９  パネル
２９Ａ  嵌合リブ
３０  第２の振動板
３１  密閉空間
３２，３４  粘着剤もしくは接着剤
３３  接着剤もしくはシーリング剤
４０  スピーカ
４１  表示部
４２  操作部
５０  スピーカモジュール
５１  携帯電話装置
５２  外装ケース
【図１】
2005129992.tif 000003
【図２】
2005129992.tif 000004
【図３】
2005129992.tif 000005
【図４】
2005129992.tif 000006
【図５】
2005129992.tif 000007
【図６】
2005129992.tif 000008
【図７】
2005129992.tif 000009